(57)【要約】      （修正有）【課題】端面光源の消灯時には、透明ディスプレイおよび展示部内の展示物を良好に視認することができ、一方で、端面光源の点灯時には、透明ディスプレイの表示を良好に視認でき、かつ、展示部内の展示物を見えにくくする遮光効果を発揮することができるウインドウディスプレイを提供する。【解決手段】展示部と透明ディスプレイ３１を組み合わせたウインドウディスプレイ１であって、透明ディスプレイ３１の展示部側に、導光板２１からなる面発光体２３がその主面を前記透明ディスプレイに対し平行になるよう設けられ、前記導光板は特定濃度の光拡散粒子が添加された透明基材からなり、透明基材の屈折率をｎ１、光散乱微粒子の屈折率をｎ２、ｎ１とｎ２との差の絶対値をΔｎとしたとき、Δｎの値が０．４以上３以下であることを特徴とするウインドウディスプレイ。【選択図】図１
0003190343.tif 000002
【実用新案登録請求の範囲】
【請求項１】
展示部と透明ディスプレイを組み合わせたウインドウディスプレイであって、
透明ディスプレイの展示部側に、面発光体がその主面を前記透明ディスプレイに対し平行になるよう設けられ、
前記面発光体は導光板及び前記導光板の少なくとも端面の一部に対向して設けられた端面光源からなり、
前記導光板は透明基材の内部に光散乱微粒子が添加されたものからなり、
前記光散乱微粒子の添加濃度が０．０００１質量％以上０．０１質量％以下であり、
透明基材の屈折率をｎ１、光散乱微粒子の屈折率をｎ２、ｎ１とｎ２との差の絶対値をΔｎとしたとき、Δｎの値が０．４以上３以下であることを特徴とするウインドウディスプレイ。
【請求項２】
前記光散乱微粒子が酸化チタン微粒子である請求項１に記載のウインドウディスプレイ。
【請求項３】
前記光散乱微粒子の質量平均粒径ｄが０．０００５（ｍｍ）以上０．０２（ｍｍ）以下である請求項１または２に記載のウインドウディスプレイ。
【請求項４】
Δｎ×ｄの値が０．０００２以上０．０２以下である請求項１〜３のいずれか1項に記載のウインドウディスプレイ。
【請求項５】
前記透明ディスプレイが透過型液晶表示装置である請求項１〜４のいずれか１項に記載のウインドウディスプレイ。
【考案の詳細な説明】
【技術分野】
【０００１】
本考案はウインドウディスプレイに関する。より詳しくは、ショーウインドウなどの展示物と透明表示装置を組み合わせたウインドウディスプレイに関する。
【背景技術】
【０００２】
ショーウインドウにおいて商品などの展示物を見栄えよく展示するため、その観視者側の表面をガラス張りの板で形成したショーウインドウが広く普及している。近年、そのガラス部分を透明ディスプレイに置き換えたウインドウディスプレイが注目されている（非特許文献１）。
ウインドウディスプレイは飾り棚などが設けられた展示部の前面に透過型液晶表示装置などの透明ディスプレイを設けたものである。飾り棚に配置された展示物と、透明ディスプレイに表示された文字、映像を表示、点滅させることを組み合わせることによって、従来のショーウインドウよりも観視者の注目を引き付ける効果が期待できる。
また展示部を照明する光源が設けられる場合がある。この光源により、周囲が暗い場合や透明ディスプレイの光透過率が小さい場合でも飾り棚や透明ディスプレイの表示をより明るく見せることができる。
しかし、飾り棚に配置された展示物の種類や位置と、透明ディスプレイの表示内容との組み合わせによっては、あるいは観視者が飾り棚を見る位置、方向によっては、展示物と透明ディスプレイの表示内容が重なるなどして見栄えが悪くなるという問題があった。また透明ディスプレイの表示内容が文字などである場合、展示物とその文字が重なるなどして読みにくくなるという問題があった。
【先行技術文献】
【非特許文献】
【０００３】
【非特許文献１】「月刊ディスプレイ」、２０１２年、Ｖｏｌ．１８、Ｎｏ．６、ｐ．５２−５７
【考案の概要】
【考案が解決しようとする課題】
【０００４】
本考案は、このような事情に鑑みてなされたものであり、ウインドウディスプレイにおいて、展示部の展示物と透明ディスプレイの表示をより効果的に観視できるウインドウディスプレイを提供することを目的とする。
【課題を解決するための手段】
【０００５】
上記課題を解決するため、本考案に係る発光体の一態様は、以下のものである。
[１]：展示部と透明ディスプレイを組み合わせたウインドウディスプレイであって、
透明ディスプレイの展示部側に、面発光体がその主面を前記透明ディスプレイに対し平行になるよう設けられ、
前記面発光体は導光板及び前記導光板の少なくとも端面の一部に対向して設けられた端面光源からなり、
前記導光板は透明基材の内部に光散乱微粒子が添加されたものからなり、
前記光散乱微粒子の添加濃度が０．０００１質量％以上０．０１質量％以下であり、
透明基材の屈折率をｎ１、光散乱微粒子の屈折率をｎ２、ｎ１とｎ２との差の絶対値をΔｎとしたとき、Δｎの値が０．４以上３以下であることを特徴とするウインドウディスプレイ。
[２]：前記光散乱微粒子が酸化チタン微粒子である[１]に記載のウインドウディスプレイ。
[３]：前記光散乱微粒子の質量平均粒径ｄが０．０００５（ｍｍ）以上０．０２（ｍｍ）以下である [１] または[２]に記載のウインドウディスプレイ。
[４]：Δｎ×ｄの値が０．０００２以上０．０２以下である[１]〜[３]のいずれかに記載のウインドウディスプレイ。
[５]：前記透明ディスプレイが透過型液晶表示装置である[１]〜[４]のいずれかに記載のウインドウディスプレイ。
【考案の効果】
【０００６】
本考案のウインドウディスプレイの一態様によれば、面発光体を構成する端面光源の消灯時には面発光体を構成する導光板がほぼ透明であるため、透明ディスプレイおよび当該導光板が存在しても観視者は展示部内の展示物を良好に視認することができる。また当該端面光源の点灯時には当該導光板が光ることにより、展示部内の展示物を見えにくくする遮光効果を発揮するとともに透明ディスプレイのバックライトとして作用するため、観視者は透明ディスプレイの表示を良好に視認することができる。
【図面の簡単な説明】
【０００７】
【図１】本考案の実施形態１にかかるウインドウディスプレイの一例を示す図である。
【考案を実施するための形態】
【０００８】
（実施形態１）
以下、図１に示す図面を参照して本考案の実施形態１について説明する。
図１に示す１は本考案の実施形態１にかかるウインドウディスプレイの一例である。展示部は展示箱７１、飾り棚４１および展示物５１からなる。展示箱７１はその一面に長方形の開口部を有した直方体状の箱からなる枠体であり、その内部の展示部に飾り棚４１および展示物５１を収容している。前記長方形の開口部には長方形の表示部を持った透明ディスプレイ３１が設けられている。透明ディスプレイの飾り棚４１側には、主面が長方形である導光板２１が、その主面を透明ディスプレイ３１に平行かつ近接して配置されている。導光板２１の主面の大きさは透明ディスプレイ３１の表示範囲全面を覆うものである。導光板２１の向かい合う端面にはそれぞれ端面光源２２が導光板２１の端面に近接して配置され、面発光体２３を形成している。
透明ディスプレイ３１に対して飾り棚４１とは反対側より、観視者６１が透明ディスプレイ３１および展示箱７１の内部の飾り棚４１、展示物５１を観視する。
【０００９】
透明ディスプレイは展示物の特徴などを示す動画像、静止画像、文字を表示する。
【００１０】
本考案に使用される導光板はほぼ透明であるため、観視者は端面光源の消灯時には透明ディスプレイの表示内容及び展示部の展示物を良好に視認できる。また端面光源の点灯時には導光板が光って遮光効果を発揮し、観視者から飾り棚や展示物がある展示部を見えにくくすることができる。また同時に該導光板は透明ディスプレイのバックライトとして作用するため、観視者は透明ディスプレイの表示をより明るく明瞭に視認できる。
【００１１】
本考案に使用される導光板は、導光板を通して展示物を視認できるよう、その表面にレンチキュラーレンズなどは形成されず、両面が平滑であることが好ましく、これにより、観視者は端面光源の消灯時には透明ディスプレイの表示内容及び展示部の展示物を良好に視認できる。
【００１２】
本考案に使用される導光板は透明基材で構成され、光散乱微粒子が添加されている。当該光散乱粒子の添加濃度は導光板を形成する透明基材の質量に対して０．０００１質量％以上０．０１質量％以下である。光散乱微粒子の添加量がこの範囲より少ないと、端面光源の点灯時であっても導光板は十分な遮光効果を発揮できず、この範囲より大きいと、導光板の透明性が失われ、端面光源の消灯時であっても観視者が飾り棚や展示物のある展示部を良好に視認できない。当該光散乱微粒子の添加濃度は０．０００２質量％以上０．００５質量％以下が好ましく、０．０００３質量％以上０．００３質量％以下がより好ましい。
【００１３】
本考案に使用される導光板を構成する透明基材の屈折率をｎ１、当該透明基材に添加される光散乱微粒子の屈折率をｎ２、ｎ１とｎ２との差の絶対値をΔｎとしたとき、Δｎの値は０．４以上３以下である。
Δｎの値がこの範囲より小さいと、レイリー散乱現象に起因すると思われる着色など、色目の変化が起きる。具体的には、端面光源付近では散乱光が青みを帯び、端面光源から離れた位置では黄味を帯びる。Δｎの値がこの範囲より大きいと、端面光源の点灯時に十分な遮光効果を発揮できない。これは光散乱微粒子に光が入射したときの後方散乱に起因するためであると思われる。
Δｎの値は０．４５以上２以下が好ましく、０．５以上１．５以下がより好ましい。
【００１４】
前記光散乱微粒子が酸化チタン微粒子であることが好ましい。酸化チタン微粒子は無色であるため導光板に色がつきにくく、また入手が容易である。また酸化チタン微粒子は屈折率が高いため（例えば屈折率２．７）、導光板を構成する透明基材として好適なアクリル樹脂、ポリカーボネートを用いた場合、Δｎを上記好しい範囲とすることができる。
【００１５】
導光板を構成する透明基材としては、無機ガラス、透明樹脂を用いることができる。透明樹脂としてはアクリル樹脂、ポリカーボネート、ポリエチレンやポリプロピレンなどのポリオレフィン、ポリエチレンテレフタレートなどを用いることができる。なかでもアクリル樹脂、ポリカーボネートが透明性の点で好ましい。アクリル樹脂は透明性の点で特に好ましい。ポリカーボネートは耐衝撃性の点で特に好ましい。
【００１６】
前記光散乱微粒子の重量平均粒径ｄ（ｍｍ）は０．０００５（ｍｍ）以上０．０２（ｍｍ）以下が好ましい。ｄの値がこの範囲より小さいと、レイリー散乱現象に起因すると思われる着色など、色目の変化が起きる場合があり、この範囲より大きいと、光散乱微粒子が目視で視認されやすくなり、導光板の透明性が劣る場合がある。
ｄの値は０．０００７（ｍｍ）以上０．０１５（ｍｍ）以下がより好ましく、０．０００８（ｍｍ）以上０．０１（ｍｍ）以下がより好ましい。
【００１７】
Δｎ×ｄ（Δｎとｄの積）の値は０．０００２以上０．０２以下が好ましい。レイリー散乱現象に起因する色目の変化は、前期光散乱微粒子の重量平均粒径ｄ（ｍｍ）と前記屈折率差の絶対値Δｎとの積に相関がある。Δｎ×ｄがこの範囲より小さいと、色目の変化が起きる場合があり、この範囲より大きいと、光散乱微粒子が目視で視認されやすくなり、導光板の透明性が劣る場合がある。
【００１８】
本考案に用いる透明ディスプレイは、透明ガラス板や有色透光性フィルムのように無色または有色透明な状態と、文字や映像を表示して無色透明、有色透明、有色不透明、黒色不透明な部分が混在した状態とを切り替えることが出来るものである。入手が容易である点から、透過型液晶表示装置であることが好ましい。
【００１９】
本考案に用いる導光板の厚さは１ｍｍ以上２０ｍｍ以下が好ましい。導光板の厚さがこの範囲より小さいと、導光板の剛性が不足してたわみ、近傍に存在する透明ディスプレイに接触するなどの不具合を生じる場合があり、この範囲より大きいと、導光板の透明性が劣る場合がある。導光板の厚さは１．５（ｍｍ）以上１５（ｍｍ）以下がより好ましく、２（ｍｍ）以上１０（ｍｍ）以下がさらにより好ましい。
【００２０】
（その他の実施形態）
図１の例で示した導光板の形状は透明ディスプレイと同様な長方形であり、また導光板の主面の大きさは透明ディスプレイの表示範囲全面を覆うものであったが、本考案ではその主面の大きさや形状を展示部や飾り棚の形状や展示品の内容に応じた意匠に合わせて任意に選ぶ事ができる。
例えば透明ディスプレイの表示範囲の下部または上部のみ、あるいは左右方向の中央部のみを覆うものなどを挙げる事ができる。また長方形に限らず、半円形などが挙げられる。
また端面光源が透明ディスプレイの表示範囲と重なると端面光源が展示部の飾り棚や展示品と重なって見えにくくなるため、導光板の端部の少なくとも一部は透明ディスプレイの表示範囲外にあることが好ましい。
【００２１】
展示箱を構成する枠体の内部には、図示されていない飾り棚用照明を設けることが好ましい。飾り棚用照明を点灯する事により、周囲が暗い場合や透明ディスプレイの光透過率が小さい場合でも、展示部や飾り棚や透明ディスプレイの表示をより明るく見せることができる。
【実施例】
【００２２】
（実施例１）
以下に実施例および比較例を示す。
株式会社クラレ製アクリル樹脂「パラペット」（屈折率：１．４９４）に重量平均粒径１μｍ（０．００１ｍｍ）の酸化チタン微粒子（屈折率：２．７２）を０．０００７５質量％溶融混合し、アクリル樹脂組成物を作製した。このアクリル樹脂組成物を使用し、押出成形装置で厚さ５ｍｍのアクリル樹脂シートを作製した。
前記アクリル樹脂シートを縦４００ｍｍ、横７００ｍｍに切断した。前記縦４００ｍｍの一方の端面に接して日亜化学工業株式会社製発光ダイオード「ＬＥＤＮＦＳＷ０３６ＢＴ」を端面光源として１０ｍｍ間隔で４０個配置した。また前記端面と向かい合う端面にも同様に発光ダイオードを１０ｍｍ間隔で４０個配置し、面発光体を作製した。
次いで、外形が縦４２０ｍｍ、横７２０ｍｍ、奥行きが４００ｍｍの直方体であり、縦４２０ｍｍ、横７２０ｍｍの１つの面の中央に縦３７０ｍｍ、横６６０ｍｍの長方形である開口部を有する枠体を展示箱として用意した。（展示箱の内部の縦はおよそ４００ｍｍ、横およそ７００ｍｍである）。前記展示箱の内部をつや消し白インクにて塗装した。
前記展示箱の内部の最奥中央部に黒色の展示品を配置し、前記開口部へ前記面発光体と透過型液晶表示装置を前記展示箱内部の奥側からこの順で取り付けた。前記透過型液晶表示装置は外形が縦４００ｍｍ、横７００ｍｍであり、有効画面は縦３７０ｍｍ、横６６０ｍｍである。
前記面発光体に点灯スイッチと電源を接続し、ウインドウディスプレイを製造した。
【００２３】
前記ウインドウディスプレイを床面照度１０００ルクスの室内の床に置き、前記透過型液晶表示装置で動画映像を表示して目視評価した。
面発光体の端面光源を全て消灯した状態ではウインドウディスプレイ中の展示物と透過型液晶表示装置の動画映像両方を明瞭に観察することができた。次いで面発光体の端面光源を全て点灯した状態では、ウインドウディスプレイ中の展示物はほとんど見えなくなり、透過型液晶表示装置の動画映像はより明るく明瞭に観察することができた。
【００２４】
以上に示したように、本考案のウインドウディスプレイによれば、面発光体の消灯時にはウインドウディスプレイ中の展示物および透明表示装置の映像両方を明瞭に観察することができ、面発光体の点灯時にはウインドウディスプレイ中の展示物を遮蔽し、透過型表示装置の映像をより明るく明瞭に観察することができる。
【００２５】
なお、本考案は上記実施の形態に限られたものではなく、趣旨を逸脱しない範囲で適宜変更することが可能である。
【００２６】
符号の説明
１：ウインドウディスプレイ
２１：導光板
２２：端面光源
２３：面発光体
３１：透明ディスプレイ
４１：飾り棚
５１：展示物
６１：観視者
７１：展示箱
【図１】
0003190343.tif 000003